(57)【特許請求の範囲】
【請求項１】
被写体を撮像して撮像画像データを生成する撮像画像データ生成手段と、
前記撮像画像データに関連のある情報データを取得する情報データ取得手段と、
この情報データ取得手段により取得された情報データを透かし処理して、前記撮像画像データ生成手段により生成された撮像画像データに埋め込み合成するデータ処理手段と、
このデータ処理手段により埋め込み合成されたデータを記録する記録手段と、
この記録手段に記録された合成データから前記情報データを抽出するデータ抽出手段と、
前記記録手段に記録された合成データと前記データ抽出手段により抽出された情報データとに基づき、前記撮像画像に関連のある情報が付加された撮像画像を再生する再生手段と、
を備えたことを特徴とする撮像装置。
【請求項２】
撮像画像データと透かし処理された前記撮像画像データに関連のある情報データとを合成してなる合成データから前記情報データを抽出するデータ抽出手段と、
前記合成データと前記データ抽出手段により抽出された情報データとに基づき、前記撮像画像に関連のある情報が付加された撮像画像を再生する再生手段と、を備えたことを特徴とする再生装置。
【請求項３】
前記抽出手段により抽出された前記情報データが示す文字を認識する文字認識手段をさらに有し、
前記再生手段は、前記文字認識手段により認識された文字が付加された撮像画像を再生することを特徴とする請求項２記載の再生装置。
【請求項４】
前記再生手段により前記撮像画像に該撮像画像に関連のある情報を付加して再生するか否かを選択する選択手段を備えたことを特徴とする請求項２又は請求項３記載の再生装置。
【請求項５】
記録装置と再生装置とで構成され、
前記記録装置は、被写体を撮像して撮像画像データを生成する撮像画像データ生成手段と、
前記撮像画像データに関連のある情報データを取得する情報データ取得手段と、
この情報データ取得手段により取得された情報データを透かし処理して、前記撮像画像データ生成手段により生成された撮像画像データに埋め込み合成するデータ処理手段と、
このデータ処理手段により埋め込み合成されたデータを記録する記録手段とを備え、
前記再生装置は、前記記録手段に記録された合成データから前記情報データを抽出するデータ抽出手段と、
前記記録手段に記録された合成データと前記データ抽出手段により抽出された情報データとに基づき、前記撮像画像に関連のある情報が付加された撮像画像を再生する再生手段と、
を備えたことを特徴とするデータ記録再生システム。
【発明の詳細な説明】
【０００１】
【発明の属する技術分野】
本発明は、被写体を撮像してその画像データを記録する撮像装置、及びこの記録された画像データを再生する再生装置、並びにデータ記録再生システムに関する。
【０００２】
【従来の技術】
従来、所謂デジタルスチルカメラにおいて、撮像した画像の再生時に日付や時間等の他の情報を画像に付加して表示する場合、予め記録時に画像データとは別に日付等の情報データを記録しておいて再生時に両者を合成する方式、又は撮像した画像データの一部を削除して、その上にイメージデータとして日付等の情報データを合成して記録しておく方式の何れかが用いられている。
【０００３】
【発明が解決しようとする課題】
しかしながら、前者の方式の場合、情報データを画像データ中に含んでいないことから、例えば情報データを認識することができない再生装置や、画像データとともに情報データを取り込むことができない再生装置に一度でも画像データを取り込んでしまうと、その後画像に情報データを付加して表示することができない。
【０００４】
また、後者の方式の場合、予め画像データに情報データが合成されていることから、前記情報データを認識することができない再生装置や、画像データとともに情報データを取り込むことができない再生装置を用いた場合であっても、画像に情報データを付加して表示することは可能である。しかし、合成されて記録されている画像データと情報データとを分離することは困難であり、分離できたとしても画像データ上の情報データが存在していた部分は、既に画像データが削除されておりデータの復元は不可能である。したがって、情報データの付加のない画像のみを再生表示したい場合には、必然的に画像品質が低下してしまい、画像品質の低下のない状態で情報データの付加のない画像を再生することができない。
【０００５】
本発明は、このような従来の課題に鑑みてなされたものであり、情報が付加された画像と付加されない画像とを画像品質の低下を伴うことなく自在に再生可能にする撮像装置及び再生装置、並びにデータ記録再生システムを提供することを目的とするものである。
【０００６】
【課題を解決するための手段】
前記課題を解決するために請求項１記載の撮像装置にあっては、被写体を撮像して撮像画像データを生成する撮像画像データ生成手段と、前記撮像画像データに関連のある情報データを取得する情報データ取得手段と、この情報データ取得手段により取得された情報データを透かし処理して、前記撮像画像データ生成手段により生成された撮像画像データに埋め込み合成するデータ処理手段と、このデータ処理手段により埋め込み合成されたデータを記録する記録手段と、この記録手段に記録された合成データから前記情報データを抽出するデータ抽出手段と、 前記記録手段に記録された合成データと前記データ抽出手段により抽出された情報データとに基づき、前記撮像画像に関連のある情報が付加された撮像画像を再生する再生手段とを備えている。
【０００７】
したがって、記録手段には、撮像画像データに関連のある情報データと撮像画像データとが合成された合成データが記録される。しかし、この合成データは、情報データを透かし処理して画像データに埋め込み合成したものであることから、画像データのみを再生した場合であっても、その画像品質が低下することはない。また、情報データ単体を取り込むことができない再生装置に取り込んだ場合であっても、その後も画像データとともに情報データを再生することができる。
【０００８】
さらに、再生に際しては合成データから抽出された情報データに基づき、画像に情報を付加して再生することができる。
【０００９】
また、請求項２記載の再生装置にあっては、撮像画像データと透かし処理された前記撮像画像データに関連のある情報データとを合成してなる合成データから前記情報データを抽出するデータ抽出手段と、前記合成データと前記データ抽出手段により抽出された情報データとに基づき、前記撮像画像に関連のある情報が付加された撮像画像を再生する再生手段とを備えている。したがって、合成データに基づき画像を再生することにより、画像品質の低下のない画像を再生し得るとともに、抽出した情報データに基づき情報を再生することにより、画像品質の低下のない画像に情報を付加して表示し得る。
【００１０】
また、請求項３記載の再生装置にあっては、前記抽出手段により抽出された前記情報データが示す文字を認識する文字認識手段をさらに有し、前記再生手段は、前記文字認識手段により認識された文字が付加された撮像画像を再生する。したがって、透かし処理されて画像データと合成された情報データが示す文字を、明瞭に再生して再生画像に付加し得る。
【００１１】
また、請求項４記載の再生装置にあっては、前記再生手段により前記撮像画像に該撮像画像に関連のある情報を付加して再生するか否かを選択する選択手段を備えている。したがって、画像のみを再生する再生形態と、画像に情報を付加して再生する再生形態とを、所望に応じて選択し得る。
【００１２】
また、請求項４記載の再生装置にあっては、記録装置と再生装置とで構成され、前記記録装置は、被写体を撮像して撮像画像データを生成する撮像画像データ生成手段と、前記撮像画像データに関連のある情報データを取得する情報データ取得手段と、この情報データ取得手段により取得された情報データを透かし処理して、前記撮像画像データ生成手段により生成された撮像画像データに埋め込み合成するデータ処理手段と、このデータ処理手段により埋め込み合成されたデータを記録する記録手段とを備え、前記再生装置は、前記記録手段に記録された合成データから前記情報データを抽出するデータ抽出手段と、前記記録手段に記録された合成データと前記データ抽出手段により抽出された情報データとに基づき、前記撮像画像に関連のある情報が付加された撮像画像を再生する再生手段とを備えている。
【００１３】
したがって、記録装置側では、画像データと透かし処理された情報データとが合成された合成データが記録される。一方、再生装置側では、合成データに基づき画像を再生するとともに、透かし処理されている情報データを抽出して情報を再生する。よって、画像とともに情報を再生表示できるとともに、画像のみを再生した場合であっても、その画像品質が低下することがない。
【００１４】
【発明の実施の形態】
以下、本発明の一実施の形態を図に従って説明する。図１は本発明の一実施の形態を適用したデジタルスチルカメラ１の概略構成を示すブロック図である。このデジタルスチルカメラ１は、レンズユニット２を有し、このレンズユニット２の後方には、ＣＣＤからなる撮像素子３が配置されている。この撮像素子３からの出力信号は信号処理回路４により処理されて、ＣＰＵ５に取り込まれる。ＣＰＵ５には、前記撮像素子３、時計部６、ビデオＲＡＭ７が接続されているとともに、キー入力部８、ＲＯＭ１０、ＲＡＭ１１、記録用メモリ１２、及びＩ／Ｏポート９が接続されている。
【００１５】
時計部６は、現在年月日及び時刻を計時するものであり、キー入力部８には、電源のオン・オフ時に操作される電源キー、映像を記録用メモリ１２に記憶させる際に操作されるシャッターキー、撮影モードと再生モードとを選択的に設定するためのモード設定キー等の各種キーが設けられている。ＲＯＭ１０にはＣＰＵ５の動作プログラム等が記憶されており、ＣＰＵ５は、この動作プログラムに基づき動作し、ＲＡＭ１１をワークメモリとして使用して各部の制御を行う。記録用メモリ１２は、後述するように透かし情報を埋め込み合成された被写体画像データを記録するメモリであり、Ｉ／Ｏポート９は、シリアル信号に変換された映像信号をシリアルＩ／Ｏ端子１５を介して、画像再生装置へ出力するインタフェースである。
【００１６】
ビデオＲＡＭ７には、撮影モードの状態においては、信号処理回路４で処理された撮像素子３からの出力信号に基づく被写体画像の画像データが所定のタイミング毎に格納される。この画像データに基づき、表示回路１３が表示素子１４を駆動することにより、レンズユニット２により撮像素子３上に結像された被写体画像がＬＣＤからなる表示素子１４にて表示される。また、再生モードの状態においては、記録用メモリ１２から読み出された画像データが格納され、この画像データに基づき、表示回路１３が表示素子１４を駆動することにより、記録されている画像データに基づく画像が表示素子１４にて表示される。
【００１７】
図２は本発明の一実施の形態を適用した画像再生装置２０の概略構成を示すブロック図である。この画像再生装置２０のＣＰＵ２１には、印刷部２２、ビデオＲＡＭ２３が接続されているとともに、キー入力部２４、ＲＯＭ２５、ＲＡＭ２６、記録用メモリ２７、及びＩ／Ｏポート２８が接続されている。印刷部２２は、所定の用紙に画像データに基づく画像を印刷出力するものであり、キー入力部２４には、電源のオン・オフ時に操作される電源キーや再生を開始させる際に操作されるスタートキー等の各種キーが設けられている。
【００１８】
ＲＯＭ２５にはＣＰＵ２１の動作プログラム等が記憶されており、ＣＰＵ２１は、この動作プログラムに基づき動作し、ＲＡＭ２６をワークメモリとして使用して各部の制御を行う。記録用メモリ２７は、後述するようにデジタルスチルカメラ１側から取り込んだ画像データを記録するメモリであり、Ｉ／Ｏポート２８は、デジタルスチルカメラ１側でシリアル信号に変換された映像信号をシリアルＩ／Ｏ端子２９を介して入力させるインタフェースである。ビデオＲＡＭ２３には、シリアルＩ／Ｏ端子２９及びＩ／Ｏポート２８を介して取り込んだ画像データが格納される。この画像データに基づき、表示回路２９が表示素子３０を駆動することにより、取り込んだ画像データに基づく画像が表示素子３０にて表示される。
【００１９】
以上の構成にかかる本実施の形態において、図１に示したデジタルスチルカメラ１のＣＰＵ５は、撮影モードが設定された状態でシャッターキーが操作されると、図３に示すフローチャートに従って制御を実行する。すなわち、撮影制御を行って（ステップＳＡ１）、シャッターキーが操作された時点の撮像素子３からの信号を信号処理回路４に出力させる。引き続き、撮影画像処理を行って（ステップＳＡ２）、信号処理回路４で処理された撮影画像データを取り込む。このステップＳＡ２での所理により、図４（ａ）に例示するように、被写体像の撮影画像データＰが取り込まれる。
【００２０】
また、これと並行して時計部６からシャッターキーの操作に同期して情報データを取り込み（ステップＳＡ３）、このステップＳＡ３での処理により、図４（ｂ）に示すように、シャッターキーが操作された時点の年月日及び時刻からなる情報データＩが時計部６から取り込まれる。さらに、この取り込んだ情報データＩを公知の透かし処理方法により透かし処理して透かし情報化し（ステップＳＡ４）、しかる後に、前述のステップＳＡ２で撮影画像処理された画像データの標本値に、ステップＳＡ４で処理された透かし情報を埋め込み合成する（ステップＳＡ５）。
【００２１】
このステップＳＡ５での処理により、図４（ｃ）に模式的に示すように、撮影画像データＰと透かし処理された情報データＩとを合成した合成画像データＣが生成され、次に、この生成された合成画像データＣを記録用メモリ１２に記録する（ステップＳＡ６）。したがって、以上の処理がシャッターキーが操作される都度なされることにより、記録用メモリ１２にはシャッターキーが操作された時点で取り込まれた撮影画像データＰとその時点の年月日及び時刻からなり透かし処理された情報データＩとの合成画像データＣが順次記録用メモリ１２に記録されて行く。
【００２２】
また、このデジタルスチルカメラ１の記録用メモリ１２に記録された合成画像データＣを、画像再生装置２０で再生する際には、両端子１５、２９を接続した後、画像再生装置２０のキー入力部２４に設けられているスタートキーを操作する。すると、図２に示した画像再生装置２０のＣＰＵ２１は、図５に示すフローチャートに従って制御を実行し、デジタルスチルカメラ１の記録用メモリ１２から、前記合成画像データＣを読み出す（ステップＳＢ１）。引き続き、透かし情報抽出処理を行って（ステップＳＢ２）、この読み出した合成画像データＣに埋め込み合成されている透かし処理済みの情報データＩ（透かしデータ）を抽出して、この抽出した透かし処理済みの情報データＩを、撮影画像データＰから分離する（ステップＳＢ３）。しかる後に、この分離したイメージデータからなる情報データＩを文字認識する（ステップＳＢ４）。
【００２３】
また、これと並行して前述のステップＳＢ２で、合成画像データＣから情報データＩを抽出することにより撮影画像データＰを取得し（ステップＳＢ５）、しかる後に表示選択処理を実行する（ステップＳＢ６）。この表示選択処理は、キー入力部２４におけるユーザーのキー操作に応じて、情報データ非表示モードと情報データ表示モードの何れが選択されたかを識別する処理である。そして、情報データ非表示モードが選択されたならば、該情報データ非表示モードを設定し（ステップＳＢ７）、情報データ表示モードが選択されたならば、該情報データ表示モードを設定する（ステップＳＢ８）。
【００２４】
また、情報データ表示モードが設定された場合には、前述したステップＳＢ４で認識した情報データＩを構成する文字のプロパティを選択しその項目を決定する（ステップＳＢ９）。ここで、決定する項目は文字フォント、文字サイズ、文字色、文字装飾、表示位置等であり、ユーザーはこれらの項目をキー入力部２４での操作により決定する。そして、これら項目が決定されると、撮影画像データＰに、ステップＳＢ９で決定された項目からなる表示形態で情報データＩを付加して表示する（ステップＳＢ１０）。
【００２５】
これにより、図４（ｄ）に例示するように、撮影画像データＰに、ステップＳＢ９で決定された文字フォント、文字サイズ、文字色、文字装飾であって、決定された表示位置に情報データＩが付加された画像が表示素子３０に表示される。また、引き続き出力処理が実行されることにより（ステップＳＢ１２）、同図に示す情報データＩが付加された撮影画像データＰが記録用メモリ２７に記録され、あるいは印刷部２２より印刷出力される。このとき、単色の文字色のみでは撮影画像上で情報データＩの判別が困難な場合を想定し、文字装飾では文字色の補色で文字の縁取りをする等、適宜表示の明瞭化を図る。
【００２６】
他方、ステップＳＢ７で情報非表示モードが設定された場合には、撮影画像データＰのみを表示する（ステップＳＢ１１）。このステップＳＢ１１での処理により、図４（ａ）に示した撮影画像データＰが表示素子３０に表示され、引き続き出力処理が実行されることにより（ステップＳＢ１２）、同図に示す撮影画像データＰが記録用メモリ２７に記録され、あるいは印刷部２２より印刷出力される。
【００２７】
なお、図１に示したデジタルスチルカメラ１において再生モードが設定された場合には、該デジタルスチルカメラ１のＣＰＵ５が図５のステップＳＢ１〜ＳＢ１１と同様の処理を実行し、これにより、表示素子１４に撮影画像データＰと情報データＩ、あるいは撮影画像データＰのみが選択的に表示される。
【００２８】
また、この実施の形態においては、情報データとして撮影年月日及び時刻データ（日付データ、時間データ）を用いた場合を示したが、撮影状態データ、シャッタースピード、絞り値（撮影条件データ）、撮影者等の他のデータを情報データとして用いたり、更には、撮影時の音声を符号化したデータを情報データとして用いるようにしてもよい。また、前述のステップＳＡ５では、透かし情報を撮影画像データの標本値に埋め込む埋め込み方法を用いることとしたが、周波数変換を利用し埋め込む方法を用いてもよい。
【００２９】
さらに、上記実施の形態においては、デジタルスチルカメラ１に固定的に設けられたＲＯＭ１０に、図３のフローチャートに示した制御を行うためのプログラムを記憶させておき、画像再生装置２０に固定的に設けられたＲＯＭ２５に、図５のフローチャートに示した制御を行うためのプログラムを記憶させておくようにしたが、これらプログラムを着脱自在な記録媒体に記録しておき、この記録媒体をデジタルスチルカメラ１や画像再生装置２０にセットすることにより、前述したと同様の処理を実行させるようにしてもよい。これにより、デジタルスチルカメラ１や画像再生装置２０を大幅に設計変更することなく多機能化することができる。
【００３０】
【発明の効果】
以上説明したように本発明は、撮像画像データに透かし処理された該撮像画像データに関連のある情報データを埋め込み合成して記録しておくようにしたことから、情報データを認識することができない再生装置や、画像データとともに情報データを取り込むことができない再生装置に画像データを取り込んでしまった場合であっても、その後も画像に情報データに基づく情報を付加して再生表示させることが可能となるとともに、画像品質の低下を伴うことなく撮像画像のみを再生表示することができる。また、情報データに基づく情報を撮像画像データともに再生するか否かを選択する選択手段を設けるようにしたことから、画像のみを再生する再生形態と、画像に情報を付加して再生する再生形態とを、所望に応じて選択することができ、再生形態の多様化を図ることができる。
【００３１】
また、前記合成データに基づき画像を再生するとともに、この合成データから抽出した情報データに基づき情報を再生するようにしたことから、画像品質の低下のない画像を再生することができるとともに、画像品質の低下のない画像に情報を付加して表示することができる。
【００３２】
【図面の簡単な説明】
【図１】本発明の一実施の形態を適用したデジタルスチルカメラの概略ブロック構成図である。
【図２】本発明の一実施の形態を適用した画像再生装置の概略ブロック構成図である。
【図３】前記デジタルスチルカメラの処理手順を示すフローチャートである。
【図４】同実施の形態におけるデータの形態及び表示状態を示す図である。
【図５】前記画像再生装置の処理手順を示すフローチャートである。
【符号の説明】
１    デジタルスチルカメラ
５    ＣＰＵ
１２    記録用メモリ
２０    画像再生装置
２１    ＣＰＵ
２７    記録用メモリ
【図１】
0003543172.tif 000002
【図２】
0003543172.tif 000003
【図３】
0003543172.tif 000004
【図４】
0003543172.tif 000005
【図５】
0003543172.tif 000006